(57)【要約】【課題】  蛍光管からの光拡散効率を高めて発光ムラをなくすと共に、ケース体の厚みを薄くして省スペース化を図ることができ、しかも、点検や交換を迅速且つ簡単に行うことができる看板を提供することを目的とする。【解決手段】  表示物を掲示可能な窓部１１付きの開閉扉１２を正面に備えるケース体１と、該ケース体１内に取り付けると共に前記窓部１１と略一致する光反射面３１を正面側に有する基板３と、光反射面３１の正面側に取り付ける１本又は複数本の蛍光管４と、該蛍光管４と窓部１１との間に介在させる光拡散部材５と、から構成し、前記光拡散部材５は、偏平なドーム形状をなしており、蛍光管４の背面側を除く三方を囲むように配置されると共に、蛍光管４に近い部分を肉厚に、蛍光管４から離れるに従って薄肉になるように形成されていることを特徴とする。【選択図】      図１（ａ）（ｂ）
2006337525.tif 000002
【特許請求の範囲】
【請求項１】
表示物を掲示可能な窓部（１１）付きの開閉扉（１２）を正面に備えるケース体（１）と、該ケース体（１）内に取り付けると共に前記窓部（１１）と略一致する光反射面（３１）を正面側に有する基板（３）と、光反射面（３１）の正面側に取り付ける１本又は複数本の蛍光管（４）と、該蛍光管（４）と窓部（１１）との間に介在させる光拡散部材（５）と、から構成し、
前記光拡散部材（５）は、偏平なドーム形状をなしており、蛍光管（４）の背面側を除く三方を囲むように配置されると共に、蛍光管（４）に近い部分を肉厚に、蛍光管（４）から離れるに従って薄肉になるように形成されていることを特徴とする看板。
【請求項２】
前記光拡散部材（５）は、取付部材（５２ａ，５２ｂ、５２ｃ）を介して基板（３）に開閉可能に取り付けられていることを特徴とする請求項１記載の看板。
【発明の詳細な説明】
【技術分野】
【０００１】
本発明は、蛍光管の発光により絵や写真を表示する看板に関するものである。
【背景技術】
【０００２】
従来、この種の電飾看板と呼ばれるものの代表的なものとしては、背面板内面側に光反射面を備えるケース体内に、１本又は複数本の蛍光管を配列し、さらに、前記ケース体の前面側に絵や写真が収容された窓付きの開閉扉を備え、前記光反射面に反射した蛍光管の光によって前記開閉扉の裏面側を照らし、収容されている絵や写真をバックライト式に表示するものがあった。また最近では、前記開閉扉の裏面側全体を均一に照射し、看板の表示に際して発光ムラが生じることを防ぐために、前記開閉扉と蛍光管との間に、ドットパターンが印刷された光拡散フィルムを貼り付けたり、又は、大小の貫通穴を規則的に複数配列した光透過調整板や、また、照射された光を不規則な方向に拡散する光拡散板を介在した看板が知られている。
【特許文献１】特開平１１−１６１２０９号
【発明の開示】
【発明が解決しようとする課題】
【０００３】
しかしながら、たとえ蛍光管と開閉扉との間に前記光透過調整板や光拡散板を介在させたとしても、光透過調整板や光拡散板の形状が平板であったため、蛍光管と光透過調整板又は光拡散板との間の距離を小さくすると、蛍光管の近くが最も明るくなり、蛍光管から離れるほど暗くなるといった発光ムラが生じる原因となってしまう。そのため、従来のケース体はどうしても厚みが大きくなってしまい、省スペース化の妨げになると共に、地下鉄のホーム等といった限られた狭いスペースにおいては、看板が壁面から大きく突出してしまうと非常に危険であった。
【０００４】
そこで本発明は、上記事情に鑑みてなされたものであり、蛍光管からの光拡散効率を高めて発光ムラをなくすと共に、ケース体の厚みを薄くして省スペース化を図ることができ、しかも、点検や交換を迅速且つ簡単に行うことができる看板を提供することを目的とする。
【課題を解決するための手段】
【０００５】
上記目的を達成するために、本発明のうち請求項１記載の発明によれば、表示物を掲示可能な窓部付きの開閉扉を正面に備えるケース体と、該ケース体内に取り付けると共に前記窓部と略一致する光反射面を正面側に有する基板と、光反射面の正面側に取り付ける１本又は複数本の蛍光管と、該蛍光管と窓部との間に介在させる光拡散部材と、から構成し、前記光拡散部材は、偏平なドーム形状をなしており、蛍光管の背面側を除く三方を囲むように配置されると共に、蛍光管に近い部分を肉厚に、蛍光管から離れるに従って薄肉になるように形成されていることを特徴とする。
【０００６】
ここで表示物とは、看板に掲示される絵や写真を意味し、具体的には、一定の光透過性を有する紙や樹脂板に描写された絵や写真を意味するものである。また、光拡散部材とは、蛍光管からの光を表示物に向けて均一に照射できるものであればよく、具体的には、中央部分に行くに従って厚くなるように形成された乳白色のアクリル板に曲げ加工を施し、偏平なドーム状に形成した光拡散板等を挙げることができる。光拡散板の肉厚部分及び薄肉部分を形成する方法としては、一体的に形成してもよいし、幅寸法が徐々に小さくなるように形成した複数のアクリル板を重ね合わて固着させる等といった方法で別体に形成してもよい。光拡散部材の材質は、上述したアクリル以外に、曲げ加工が容易なポリカーボネートやＦＲＰ等の樹脂を挙げることができるが、耐光性に優れたアクリルにすることが望ましい。また、光反射面は、光が照射された際の反射効率が高いものであればよく、具体的には、白色面や鏡面といったものが挙げられる。
【０００７】
このように形成すれば、偏平なドーム形状の光拡散部材によって蛍光管の背面側を除く三方側を囲み、さらに、蛍光管の近くに配置される部分の光拡散部材を肉厚に、蛍光管から離れるに従って徐々に薄肉に形成することで、蛍光管と光拡散部材との間の距離を小さくしても、光拡散部材の厚みの厚薄によって発光ムラを生じることなく、蛍光管からの光を表示物全体に均一に照射することが可能となる。その結果、ケース体の奥行きを小さくすることが可能となり、例えば地下鉄のホーム等に看板を設置した場合、省スペース化を図ることができると共に、看板が壁面から大きく突出することを防いで、通行の際の邪魔にならず、しかも通行人に危険感や圧迫感を与えることがない。また、光拡散部材には、従来のようなドットパターンが印刷された光拡散フィルムを貼り付けたり、周面に大小の貫通穴を形成したりする必要がなくなるため、看板の低コスト化を図ることが可能となる。
【０００８】
本発明のうち請求項２記載の発明は、前記光拡散部材は、取付部材を介して基板に開閉可能に取り付けられていることを特徴とする。このように形成すれば、看板の点検や蛍光管の交換の際に、光拡散部材を開くだけで作業が行え、作業が終了すれば、光拡散部材を閉めるだけでよいので、その都度光拡散部材を基板から取り外して別の場所に一端置いておくような煩わしい作業を省くことができる。
【発明の効果】
【０００９】
本発明のうち請求項１記載の看板によれば、従来の光拡散部材のように、ドットパターンが印刷された光拡散フィルムを貼り付けたり、周面に大小の貫通穴を形成したりすることなく、蛍光管からの光を効率的に拡散して、発光ムラを確実に防止し、表示物を均一な明るさで美しく飾ることができると共に、看板のコスト削減にも貢献することができ、しかも、光の拡散効率が高まることで、蛍光管と光拡散部材との間の距離を短くすることが可能となるので、従来よりも看板の厚みが飛躍的に薄くなり、設置する場所の省スペース化を図ることができる。
【００１０】
本発明のうち請求項２記載の看板によれば、看板の点検や蛍光管の交換の際に、光拡散部材を基板からいちいち取り外して別の場所に置いておく必要がなくなるため、作業を容易に行うことができ、しかも、作業効率が飛躍的に向上するため、作業時間の短縮を図ることができる。
【発明を実施するための最良の形態】
【００１１】
以下、本発明の看板を図面に基づいて説明する。
【００１２】
図１（ａ）（ｂ）に示すように、本発明の看板の第１実施形態は、表示物を掲示可能な窓部１１を有する開閉扉１２を正面側に備える箱形のケース体１と、該ケース体１の側部に固定されるインバータや安定器、グローランプ等から構成される複数の放電制御部２と、前記ケース体１内の奥位置に取り付けると共に、正面側に光反射面３１を有する基板３と、該基板３の正面側に複数配置される蛍光管４と、各蛍光管４の正面及び左右側面を囲むように前記基板３に取り付けるドーム形状をなす光拡散板５と、からなり、図２に示すように、前記蛍光管４と光拡散板５とが正面側に光反射面３１を有する一枚の基板３上に配置されたユニット６を形成している。
【００１３】
ケース体１には、内縁側の全長に亘って戸当り片１３が形成してあり、前記開閉扉１２を閉じた際に、開閉扉１２が戸当り片１３に当接してケース体１内部を塞ぐこととなる。また、開閉扉１２には窓部１１が備えてあり、該窓部１１は透明なガラス板と乳白色を呈するアクリル板とを重ね合わせて構成されている。さらに、前記ガラス板とアクリル板との間には、例えば絵や写真、ポスター等の表示物を挟み込めるようになっている。
尚、ケース体１と開閉扉１２の取り付け構造については、例えばケース体１の上端部に蝶番（図示省略）を介して開閉扉１２を枢着したもの等が挙げられるが、特に限定するものではない。
【００１４】
前記ケース体１内の左右側部には、蛍光管４の設置本数に一致する数量のインバータや安定器、グローランプを備えたユニット式の放電制御部２がネジで固定されている。
【００１５】
基板３は、正面側に白色面をなす光反射面３１を有する一枚の板体であり、基板３の上下両端縁には、板状の保持片３２がそれぞれケース体１の正面側に向かって立設してある。上下保持片３２の相対向する位置には、先端にコネクターを備えたソケット３３がそれぞれ取り付けてあり、一対のソケット３３が左右方向に一定の間隔を置いて、配置する蛍光管４の本数分取り付けてある。この一対のソケット３３に蛍光管４の上下部分を取り付けることにより、蛍光管４が基板３に保持されることとなる。このように構成された基板３は、基板３の正面側に備える取付金具３４を介してケース体１の奥位置に固定される。
【００１６】
光拡散板５は、図３（ａ）（ｂ）に示すように、蛍光管４の長さと対応する長尺の乳白色を呈するアクリル板５１ａと、該アクリル板５１ａに対して幅寸法が徐々に小さくなるように形成した乳白色を呈する複数のポリカーボネート板５１ｂとから構成され、中央部分が肉厚になるように、即ち中央部分から左右両側に向かって徐々に薄肉になるように各板５１ａ，５１ｂを重ね合わせて固着し、断面形状が偏平なドーム形状になるように曲げ加工を施したものである。各板５１ａ，５１ｂの重ね合わせる方向については、見栄え等を考慮して背面側に徐々に重ねていくことが望ましい。
尚、前記光拡散板５は、アクリル板とポリカーボネート板の組み合わせに限定するものではなく、アクリル板のみを重ね合わせて形成してもよいし、ポリカーボネート板のみを重ね合わせて形成してもよいが、光拡散板に曲げ加工を施さなければならない点から、第１実施形態である耐光性に優れるアクリル板と、柔らかくて馴染みやすい性質を持つポリカーボネート板の組み合わせが最も望ましい。さらに、ポリカーボネートは薄く加工することができるので、光拡散板５全体を薄く形成することが可能となる。また、光拡散板５は必ずしも複数の板体を重ね合わせて形成するものではなく、例えば一枚のアクリル板に中央部分から左右両端に向かうに従って徐々に薄肉になるように加工を施す等して一体的に形成してもよい。
【００１７】
上記のように形成された光拡散板５は、蛍光管４の正面側及び左右両側を囲むように配置されるが、図４に示すように、光拡散板５の左右どちらか一方の上下端部に取り付けた回転軸５２ａと、前記保持片３２に取り付けた軸受け金具５２ｂを介して、基板３に開閉自在に取り付けられるものである。前記回転軸５２ａの基部分には光拡散板５を挟んでネジ止めする軸固定金具５２ｃが取り付けてある。また、光拡散板５は、二枚一組となって観音開き式に開閉する構成になっており、開放される側の各光拡散板５の上下端部は、押さえ部材５３を介して基板３に固定可能になっている。前記押さえ部材５３は、基板３の正面側に突出するように取り付けられたネジ５３ａと、中央部に貫通穴５３ｂを有する押さえ板５３ｃと、蝶ナット５３ｄとから構成し、前記押さえ板５３ｃで各光拡散板５を押さえながら貫通穴５３ｂにネジ５３ａを挿通し、ネジ５３ａに蝶ナット５３ｄを螺合させて締め付けることにより、二枚の光拡散板５は閉まった状態で固定される。看板の点検や蛍光管の交換を行う際には、蝶ナット５３ｄを緩めて、押さえ板５３ｃと共にネジ５３ａから取り外すことで、光拡散板５が開閉可能となり、容易に作業を行うことができる。
【００１８】
ケース体１内に前記構成のユニット６を固定するには、ケース体１内の奥位置に基板３の正面側から取付金具３４をネジ止めすることで固定配置される。その後、各蛍光管４と放電制御部２、ブレーカー７との配線を行い、前記蛍光管４を発光可能な状態にする。
【００１９】
次に、本看板を取り付ける作業手順を説明する。尚、本作業手順で使用する看板は、ケース体１を構造体の壁面に埋め込む仕様のものである。
（１）まず、構造体の壁面にケース体１を取り付ける。
（２）次に、前記ケース体１内の左右側部に放電制御部２を固定し、該放電制御部２とブレーカー７とを延長コードにより接続する。
（３）最後に、ケース体１内に基板３の正面側に複数の蛍光管４と光拡散板５とを固定配置したユニット６を嵌め込み、取付金具３４を前記基板３の正面側からケース体１内の奥位置にネジ止めする。
このような作業手順を経ることにより、複数の蛍光管４と光拡散板５をケース体１内に、一度の手順で全て取り付けることが可能となり、また、蛍光管４の交換を行う際においては、光拡散板５を開閉させることで容易に行え、ユニット６や光拡散板５をケース体１の外に取り出す必要がないため、作業の効率化を図ることができる。
【００２０】
また、本看板の上記の作業手順は、既存の看板を改修する場合においても応用することが可能である。この場合の作業手順としては、既存の看板のケース体内に取り付けてある古い蛍光管とソケット又はネオン管を取り外し、上述した作業手順と同様に既存のケース体内の左右側部に新規に用意した放電制御部２を固定し、さらにケース体内の奥位置に取付金具３４を介して前記ユニット６をネジ止めすれば、新設の看板と同様に、発光ムラがなく表示状態の良好な看板が形成されることとなる。
【００２１】
図５（ａ）（ｂ）（ｃ）及び図６は、本発明の看板の第２実施形態を示すものであり、第１実施形態と相違するところは、基板３の正面側に複数配置される蛍光管４の取付方向が横方向であり、それに伴って、光拡散板５も蛍光管４の正面側及び上下面側を囲むように配置されると共に、光拡散板５の開閉方向も上下方向となっている点である。また、基板３の保持片３２も、基板３の左右両端縁からケース体１の正面側に向かって立設してある。このように形成された看板において、光拡散板５を上下方向に開閉自在に形成するには、光拡散板５の左右上端部に第１実施形態と同様の回転軸５２ａを取り付け、該回転軸５２ａを前記保持片３２に取り付けた軸受け金具５２ｂに回転自在に取り付けることにより、光拡散板５が基板３に開閉自在に取り付けられることとなる。光拡散板５の開放された下端側は、基板３の正面側にネジ止めされたＬ字状の受け金具５４によって閉じた状態に固定されるものである。このように形成しても、第１実施形態と同様の効果が得られることは勿論のこと、開放される光拡散板５の下端側には、第１実施形態のような開放を規制する押さえ部材５３を備える必要がないため、看板の点検や蛍光管４の交換を行う際には、より一層容易に作業を行うことが可能となる。
【図面の簡単な説明】
【００２２】
【図１（ａ）（ｂ）】本発明の第１実施形態を示す一部を切欠した正面図及びＡ−Ａ矢視の断面図である。
【図２】ユニット部分を示す斜視図である。
【図３（ａ）（ｂ）】光拡散部材を示す背面図及び平面図である。
【図４】光拡散部材の開閉構造の要部を示す拡大斜視図である。
【図５（ａ）（ｂ）（ｃ）】本発明の第２実施形態を示す一部を切欠した正面図、Ａ−Ａ矢視の断面図及び図中Ｂの拡大図である。
【図６】光拡散部材の開閉構造の要部を示す拡大斜視図である。
【符号の説明】
【００２３】
１  ケース体
３  基板
４  蛍光管
５  光拡散板（光拡散部材）
１１  窓部
１２  開閉扉
３１  光反射面
５２ａ  回転軸（取付部材）
５２ｂ  軸受け金具（取付部材）
５２ｃ  軸固定金具（取付部材）
【図１（ａ）（ｂ）】
2006337525.tif 000003
【図２】
2006337525.tif 000004
【図３（ａ）（ｂ）】
2006337525.tif 000005
【図４】
2006337525.tif 000006
【図５（ａ）（ｂ）（ｃ）】
2006337525.tif 000007
【図６】
2006337525.tif 000008